(57)【要約】      （修正有）【課題】構造が簡単な防塵キャップを提供する。また、そのような防塵キャップを備えた放水ノズルを提供する。【解決手段】放水ノズルに取り付けられる防塵キャップ１であって、ノズルの放水口部を開閉可能に覆う開閉部３を備えており、開閉部３は、複数の部分３ａ、３ｂに分割されてそれぞれが、放水時に放水口部からの水を受水して放水圧によって開方向に回転して開き、放水停止時に付勢部材３ｇの付勢力によって閉方向に回転して閉じるように構成され、また、開閉部３は、放水口部からの水の受水面となる内面に段部が設けられることを特徴とする。【選択図】図１
2020065809.tif 000002
【特許請求の範囲】
【請求項１】
放水ノズルに取り付けられる防塵キャップであって、
前記ノズルの放水口部を開閉可能に覆う開閉部を備えており、
前記開閉部は、複数の部分に分割されてそれぞれが、放水時に放水口部からの水を受水して放水圧によって開方向に回転して開き、放水停止時に付勢部材の付勢力によって閉方向に回転して閉じるように構成され、
また、前記開閉部は、放水口部からの水の受水面となる内面に段部が設けられることを特徴とする防塵キャップ。
【請求項２】
前記放水口部の周囲に固定される筒状の固定部をさらに備えており、前記固定部には、前記開閉部の分割される各部分を回転させる回転軸がそれぞれ、各部分の境目の近傍に位置して設けられることを特徴とする請求項１に記載の防塵キャップ。
【請求項３】
前記段部は、放水方向に交差する方向に傾斜する傾斜面を有することを特徴とする請求項１又は２に記載の防塵キャップ。
【請求項４】
前記開閉部は、分割される各部分が閉じている状態で、各部分の境目部分が互いに重なるように設けられることを特徴とする請求項１乃至３のいずれかに記載の防塵キャップ。
【請求項５】
前記開閉部の各部分の互いに重なる部分は、前記開閉部の内外を連通させる排水部を介して互いに重なることを特徴とする請求項４に記載の防塵キャップ。
【請求項６】
請求項１乃至５のいずれかに記載の前記防塵キャップを備えていることを特徴とする放水ノズル。
【発明の詳細な説明】
【技術分野】
【０００１】
この発明は、防塵キャップ及びそのキャップを備えた放水ノズルに関する。
【背景技術】
【０００２】
道路トンネル（以下、単に「トンネル」と言う）には、防災設備として、消火器や消火栓等の消火設備に加えて、水噴霧設備が設けられることがある。水噴霧設備は、トンネルの天井や側壁上方等の高所に設置される水噴霧ヘッド（「水噴霧ヘッド」とも称される）を備え、火災発生時、水噴霧ヘッドのノズルから水を霧状にして放水し、火勢の抑制や延焼の防止等を行う。なお、水噴霧ヘッドとしては、通常、散水距離や散水パターンを異にする複数の放水ノズル（近投ノズルや遠投ノズル等）を組み合わせて有するものが用いられる。
【０００３】
水噴霧ヘッドのノズルには、トンネル内の塵埃（排気ガス由来の煤等を含む）が放水口に付着するのを防ぐための防塵キャップが装着される。防塵キャップとしては、従来、常時は放水口を覆う状態を維持する一方、放水時は水圧によりノズルから外れるように形成される樹脂成形品が用いられている。しかし、従来の防塵キャップの場合、定期点検等により放水をした後、設備を復旧する際に、高所に設置されているノズルに対し、外れたキャップを再装着する作業が必要となる。そのため、高所作業車を使用して行う必要がある等、復旧の作業が容易ではないという問題がある。
【０００４】
そこで、例えば、特開２０１６−１３７０９８号公報（特許文献１）に記載の発明は、水噴霧ヘッドにおいて、防塵キャップとして機能するカバープレートを自動的に開閉させる技術を提案している。
【先行技術文献】
【特許文献】
【０００５】
【特許文献１】特開２０１６−１３７０９８号公報
【発明の概要】
【発明が解決しようとする課題】
【０００６】
しかしながら、前記の特許文献１の技術の場合、防塵キャップとして機能するカバープレートを開閉させるために放水ノズルを前後に移動させる機構部分を設けており、ノズルを含む全体の構造が複雑なものとなっている。
【０００７】
前記の事情に鑑み、この発明は、自動的に開閉可能でありながら、構造が簡単な防塵キャップを提供することを目的とする。また、そのような防塵キャップを備えた放水ノズルを提供することを目的とする。
【課題を解決するための手段】
【０００８】
この発明は、放水ノズルに取り付けられる防塵キャップであって、前記ノズルの放水口部を開閉可能に覆う開閉部を備えており、前記開閉部は、複数の部分に分割されてそれぞれが、放水時に放水口部からの水を受水して放水圧によって開方向に回転して開き、放水停止時に付勢部材の付勢力によって閉方向に回転して閉じるように構成され、また、前記開閉部は、放水口部からの水の受水面となる内面に段部が設けられることを特徴とする防塵キャップである。
【０００９】
ここで、前記開閉部は、ノズルに取り付けられている状態で左右に位置する２つの部分に分割されるものとすることができ、観音扉式に開閉するものとすることができる。
【００１０】
また、この発明は、前記放水口部の周囲に固定される筒状の固定部をさらに備えており、前記固定部には、前記開閉部の分割される各部分を回転させる回転軸がそれぞれ、各部分の境目の近傍に位置して設けられることを特徴とする防塵キャップである。
【００１１】
ここで、前記回転軸はそれぞれ、一方の端部が前記開閉部の内側に向かい、かつ他方の端部が前記開閉部の外側に向かう配置で設けられるものとすることができる。
【００１２】
また、この発明は、前記段部は、放水方向に交差する方向に傾斜する傾斜面を有することを特徴とする防塵キャップである。
【００１３】
また、この発明は、前記開閉部は、分割される各部分が閉じている状態で、各部分の境目部分が互いに重なるように設けられることを特徴とする防塵キャップである。
【００１４】
ここで、前記開閉部の各部分の互いに重なる部分は、前記開閉部の内外を連通させる排水部を介して互いに重なることを特徴とする防塵キャップである。
【００１５】
また、この発明は、前記防塵キャップを備えていることを特徴とする放水ノズルである。
【発明の効果】
【００１６】
この発明においては、防塵キャップの開閉部を開閉させるための機構がキャップ側において完結しており、そのための機構をノズル側に設ける必要がない。
【００１７】
したがって、この発明によれば、構造が簡単な防塵キャップを提供することができ、また、そのような防塵キャップを備えた放水ノズルを提供することができる。
【００１８】
また、この発明によれば、開閉部が複数の部分に分割されることにより、開閉部の各部分に分散させて放水圧を開方向に効率的に作用させるようにすることができる。また、開閉部の受水面となる内面に段部が設けられることにより、受水面を放水方向に対する角度を異にする複数の面からなるものとすることができ、それら複数の面によって開閉部の各部分に放水圧を開方向に効率的に作用させるようにすることができる。
【００１９】
また、この発明によれば、開閉部の複数の部分を回転させる回転軸が各部分の境目近傍に位置して設けられることにより、開閉部の各部分の回転角度を小さくすることができ、開閉部の各部分を回転させるのに要する力を小さくすることができる。
【００２０】
また、この発明によれば、開閉部の複数の部分が閉じている状態で、各部分の境目部分が互いに重なるように設けられることにより、開閉部が分割されていても、防塵性能が落ちるのを防ぐことができる。
【００２１】
さらに、開閉部の各部分の互いに重なる部分を開閉部の内外を連通させる排水部を介して互いに重なるものとすることにより、例えば、この発明の防塵キャップを下向き（斜め下方を含む）に設置される放水ノズルに取り付けられるものとして用いる場合に、排水部から内部の残水を外部に自然に排水することができ、防塵キャップ内部に水が溜まるのを防ぐことができる。
【図面の簡単な説明】
【００２２】
【図１】この発明の実施形態の一例を示した図であり、開閉部が閉じた状態における防塵キャップ単体の開閉部を横に向けた状態の主に開閉部及び側部を斜め上方から見た斜視図である。なお、分割の境目を境に開閉部の一方の側のみ内部を透過させて示している。
【図２】同上の防塵キャップ単体の開閉部を下に向けた状態の分割の境目側の側面図である。なお、分割の境目を境に開閉部の一方の側のみ内部を透過させて示している。
【図３】同上の防塵キャップ単体の開閉部を下に向けた状態の主に分割の境目側及び側部を斜め上方から見た斜視図である。なお、分割の境目を境に開閉部の一方の側のみ内部を透過させて示している。
【図４】同上の防塵キャップが水噴霧ヘッドの放水口部が設けられる前端部が下方に向けて設置される近投側の放水ノズルに取り付けられ、開閉部が閉じた状態における防塵キャップを横に向けた状態における水噴霧ヘッド全体を斜め上方から見た斜視図である。なお、防塵キャップの部分のみ内部を透過させて示している。
【図５】図４の状態における（ａ）が全体の縦断面図であり、（ｂ）が（ａ）とは異なる角度のノズル側の部分のみの縦断面図である。
【図６】開閉部が開いた状態における図５に相当する図である。
【発明を実施するための形態】
【００２３】
この発明の防塵キャップと放水ノズルの実施形態について、トンネルの防災設備の一つとして設置される水噴霧設備における水噴霧ヘッドの放水ノズルに適用する場合を例として、図１乃至図６に基づいて説明する。なお、この発明は、トンネルに設置される水噴霧ヘッドの放水ノズルに限らず、種々の放水ノズル及びその防塵キャップとしても適用が可能であり、例えば、大空間に設置される放水型ヘッドの放水ノズル及びその防塵キャップとしても適用が可能である。
【００２４】
［防塵キャップ］
まず、図１乃至図３に基づいて、防塵キャップ自体の実施形態について説明する。
【００２５】
・全体構成
図１乃至図３に示されるように、防塵キャップ１は、放水ノズルの放水口部（詳細な例示は後記する）の周囲に固定される、全体として筒状をなす固定部２と、放水口部を前方から開閉自在に覆うと共に、放水口部の周囲を囲む、全体として有蓋筒状をなす開閉部３とを備えている。
【００２６】
・固定部
固定部２には、後記で詳細に説明する回転軸３ｆが設けられ、その回転軸３ｆにより開閉部３が回転可能に取り付けられる。なお、固定部２は、例えば、ネジ止め部２ａにより放水ノズルの放水口部の周囲に固定される。
【００２７】
・開閉部
本実施形態において、全体として有蓋筒状の開閉部３は、その長さ方向（図２、３における上下方向）に略中央部を縦断して２つの部分３ａ、３ｂ（以下、「開閉部３ａ、３ｂ」ともいう）に分割されている。両開閉部３ａ、３ｂはそれぞれ、分割の境目３ｋに沿って長さ方向に延在して両側部の対称位置に設けられる一対の脚部３ｅを有している。また、両開閉部３ａ、３ｂはそれぞれ、一対の脚部３ｅのそれぞれの脚端側の対称位置に一対をなす回転軸３ｆが、開閉部３の長さ方向に直交する方向（図１における上下方向）に沿うと共に、一方の端部が開閉部３の内側（具体的には、各開閉部３ａ、３ｂの各脚部３ｅの内側）に向かい、かつ他方の端部が開閉部３の外側（具体的には、同前の外側）に向かう配置で設けられている。両開閉部３ａ、３ｂはそれぞれ、一対の回転軸３ｆにより開閉部３ａ、３ｂの長さ方向に直交する軸回りに開方向と閉方向に回転可能に固定部２に取り付けられている。さらに、両開閉部３ａ、３ｂにはそれぞれ、付勢部材の一例として、常時、各開閉部３ａ、３ｂを閉方向に付勢する捩じりバネ３ｇが１つずつ設けられている。
【００２８】
そして、開閉部３は、各開閉部３ａ、３ｂが閉じている状態で両者の内面３ｃが放水口部からの水を受水する受水面となる配置で固定部２により放水ノズルに取り付けられる。
【００２９】
つまり、開閉部３は、各開閉部３ａ、３ｂが、放水時に放水ノズルの放水口部からの水を受水して放水圧によって開方向に回転して自動的に開く一方、放水停止時に捩じりバネ３ｇの付勢力によって閉方向に回転して自動的に閉じるように構成されている。これにより、放水ノズルの放水口部を簡単な構造によって自動的に開閉可能に覆うことができる。
【００３０】
また、開閉部３は、複数の開閉部３ａ、３ｂに分割されていることにより、各開閉部３ａ、３ｂに分散させて放水圧を開方向に効率的に作用させるようにすることもできる。
【００３１】
ここで、開閉部３において、分割される各開閉部３ａ、３ｂの数は、例えば、３つ以上としてもよいが、本実施形態のように２つとすることにより構造をより簡単なものとすることができる。また、各開閉部３ａ、３ｂを閉方向に付勢する捩じりバネ３ｇについても、その数は適宜変更してもよく、例えば、回転軸３ｆごとに１つずつ設けるようにしてもよい。また、バネ部材の種類自体変更してもよく、例えば、板バネ、引張バネ、圧縮バネとしてもよい。
【００３２】
・回転軸
各開閉部３ａ、３ｂを回転させる回転軸３ｆは、分割の境目３ｋ近傍に位置して設けられるものとすることができる。本実施形態において、一対の回転軸３ｆは、分割の境目３ｋ近傍に位置して設けられている。具体的には、前記の通り、各開閉部３ａ、３ｂの分割の境目３ｋに沿って長さ方向に延在して両側部の対称位置に設けられる一対の脚部３ｅの脚端部のそれぞれに設けられている。そして、一対の回転軸３ｆは、開閉部３の長さ方向に直交する方向に沿うと共に、一方の端部が開閉部３の内側（具体的には、各開閉部３ａ、３ｂの各脚部３ｅの内側）に向かい、かつ他方の端部が開閉部３の外側（具体的には、同前の外側）に向かう配置でそれぞれ設けられている。それにより、本実施形態において、開閉部３は、各開閉部３ａ、３ｂをそれらの長さ方向に直交する方向の軸回りに開方向と閉方向に回転可能としつつ、小さい回転角度で開閉でき、各回転部３ａ、３ｂを回転させて開閉させるのに要する力を小さくすることができる。
【００３３】
なお、各開閉部３ａ、３ｂを回転させる回転軸３ｆについては、各開閉部３ａ、３ｂのそれぞれの分割の境目３ｋとは反対側の側部に１つずつ設けるようにしてもよいが、本実施形態のような配置で設けた方が、開閉時の軌道が短くなり、各開閉部３ａ、３ｂを回転させて開閉させるのに必要な回転角度を小さくすることができる点で有利である。
【００３４】
・段部
開閉部３において、各開閉部３ａ、３ｂにより形成され、放水ノズルの放水口部からの放水の受水面となる内面３ｃには、段部３ｄが設けられている。開閉部３は、この段部３ｄが設けられていることにより、受水面となる内面３ｃを放水方向に対する角度を異にする複数の面からなるものとすることができる。
【００３５】
・傾斜面
本実施形態において、段部３ｄは、各開閉部３ａ、３ｂが閉じている状態で、防塵キャップ１が取り付けられる放水ノズルの前端部の前方に対面し、平坦な面を形成する部分の周囲部分に環状をなすように設けられている。また、放水ノズルの前端部に設けられる放水口部から放水される水の放水方向と交差する方向に傾斜する傾斜面３ｈ（放水方向前方に向けて内側に傾斜する傾斜面）を形成するように設けられている。これにより、放水時、各開閉部３ａ、３ｂに放水圧を開方向に回転させる力として効率的に作用させることができ、各開閉部３ａ、３ｂを確実に開状態にすることができると共に、確実に開状態を維持することができる。
【００３６】
・重なり部分
各開閉部３ａ、３ｂは、本実施形態の場合、両者の分割の境目３ｋ部分が互いに重なるように設けられている。具体的には、本実施形態の場合、両者の分割の境目３ｋ部分における一方の開閉部３ａ側の部分に対し、他方の開閉部３ｂ側の部分に段状に形成されるラップ部３ｉが前方から重なるように設けられている。これにより、開閉部３は、本実施形態においては、２つの開閉部３ａ、３ｂに分割されていても、防塵性能が落ちるのを防ぐことができる。
【００３７】
・排水部
ラップ部３ｉは、本実施形態の場合、開閉部３の内外を連通させる排水部３ｊを介して開閉部３ａの分割の境目３ｋ部分に重なるように設けられている。これにより、開閉部３は、本実施形態においては、ラップ部３ｉによって防塵性能を維持しつつも、 防塵キャップ１を下向き（斜め下方を含む）に設置される放水ノズル（例えば、後記で説明する近投ノズル１０）に取り付けられるものとして用いる場合に、ラップ部３ｉから内部の残水を外部に自然に排水することができ、防塵キャップ１内部に水が溜まるのを防ぐことができる。
【００３８】
［放水ノズル］
次に、図４乃至図６に基づいて、この発明の防塵キャップが取り付けられる放水ノズルの実施形態について説明する。
【００３９】
図４乃至図６は、この発明の防塵キャップが取り付けられる放水ノズルの実施形態の一例として、トンネルに設置される水噴霧ヘッド３０における近投ノズル１０とする場合を示したものである。
【００４０】
ここで、水噴霧ヘッド３０について簡単に説明する。水噴霧ヘッド３０は、トンネルに設置されて、火災発生時、水を霧状にして放水し、火災の抑制や延焼の防止等を行う水噴霧設備が備えるものとして、トンネルの天井又は側壁上方等の高所に設置されるものである。この水噴霧ヘッド３０は、防護区画に均一に放水することができるように、放水距離やパターンを異にする複数種類の放水ノズルとして、図示の例の場合、設置状態において、前端部が下方（斜め下方）に向かい、放水口部から近い領域に放水する近投ノズル１０と、前端部が上方（斜め上方）に向かい、放水口部から遠い領域に放水する遠投ノズル２０とを有するものとしている。さらに、近投ノズル１０については、放水口部として、ノズル前端部に設けられる第１の放水口部１１ａと、ノズル前端部近傍の側部に設けられる第２の放水口部１１ｂを有するものとしている。また、遠投ノズル２０については、ノズル前端部に設けられる放水口部２１の前方に放水方向を偏向するデフレクタ２２を有するものとしている。なお、図示の例の場合、遠投ノズル２０に対しても、その放水口部２１を開閉可能に覆う防塵キャップ２３が取り付けられるものとしているが、その防塵キャップ２３についての詳細な説明は省略する。
【００４１】
そして、防塵キャップ１は、水噴霧ヘッド３０における近投ノズル１０のような放水ノズルに対し、その放水口部である第１の放水口部１１ａと第２の放水口部１１ｂを開閉部３によって開閉可能に覆うように取り付けることのできるものであり、具体的には、防塵キャップ１は、設置状態で、前端部が下方（斜め下方）に向かう近投ノズル１０に対し、図４乃至図６に示されるように、開閉部３の２つの開閉部３ａ、３ｂが、第１の放水口部１１ａと第２の放水口部１１ｂの両方を観音扉式に左右に開閉可能に覆う態様で取り付けられるものである。
【００４２】
これにより、近投ノズル１０は、常時は、防塵キャップ１の各開閉部３ａ、３ｂが捩じりバネ３ｇの付勢力によって閉じた状態が維持されて、第１の放水口部１１ａと第２の放水口部１１ｂにトンネル内の塵埃が付着するのを防ぐことができ、放水時は、防塵キャップ１の各開閉部３ａ、３ｂが第１の放水口部１１ａと第２の放水口部１１ｂからの放水の圧力によって自動的に開いて、第１の放水口部１１ａと第２の放水口部１１ｂから所定通りに放水することができ、放水停止時は、防塵キャップ１の各開閉部３ａ、３ｂが捩じりバネ３ｇの付勢力により自動的に閉じて、常時の状態に自動的に復帰させることができる。
【００４３】
なお、防塵キャップ１において、開閉部３の内面３ｃに形成される段部３ｄは、本実施形態の場合、前記の通り、放水ノズルの前端部に設けられる放水口部から放水される水の放水方向に対して傾斜する傾斜面（放水方向前方に向けて内側に傾斜する傾斜面）を形成するように設けられている。これにより、放水時には、前記の通り、各開閉部３ａ、３ｂに放水圧を開方向に回転させる力として効率的に作用させることができ、各開閉部３ａ、３ｂを確実に開状態にすることができると共に、確実に開状態を維持することができる。
【００４４】
さらに、防塵キャップ１は、放水時、ポンプ起動直後の初期段階で空気と共に近投ノズル１０から放出される水を受水して各開閉部３ａ、３ｂを半開状態になり、その後放出される主流の水を受水して各開閉部３ａ、３ｂを全開状態になる。すなわち、各開閉部３ａ、３ｂを段階的（二段階）に開かせることができる。なお、放水開始時、放水圧力をより高くすれば、各開閉部３ａ、３ｂは即座に全開状態とすることができる。
【００４５】
以上、この発明の防塵キャップと放水ノズルの実施形態の一例について説明したが、この発明は上記の実施形態に限定されるものではない。
【００４６】
例えば、防塵キャップ１は、遠投ノズル２０のようなノズルの防塵キャップとして適用することも可能であり、その際、開閉構造を前記のような観音開き式のものとすることも能である。
【符号の説明】
【００４７】
１：防塵キャップ  ２：固定部  ２ａ：ネジ止め部  ３：開閉部  ３ａ〜３ｂ：開閉部
３ｃ：内面  ３ｄ：段部  ３ｅ：脚部    ３ｆ：回転軸  ３ｇ：捩じりバネ
３ｈ：傾斜面  ３ｉ：ラップ部  ３ｊ：排水部  ３ｋ：分割の境目  １０：近投ノズル
１１ａ：第１の放水口部  １１ｂ：第２の放水口部  ２０：遠投ノズル
２１：放水口部  ２２：デフレクタ  ２３：防塵キャップ  ３０：水噴霧ヘッド
【図１】
2020065809.tif 000003
【図２】
2020065809.tif 000004
【図３】
2020065809.tif 000005
【図４】
2020065809.tif 000006
【図５】
2020065809.tif 000007
【図６】
2020065809.tif 000008